(57)【要約】      （修正有）【課題】異なるＴＴＩにおける動的スケジューリングと準静的スケジューリングを実現するデータ伝送の方法及び端末を提供する。【解決手段】データ伝送の方法において、端末は、異なるＴＴＩでの伝送をサポートし、基地局は、端末がターゲット搬送波のターゲット時間ユニットで、第１ＴＴＩを使用し、準静的スケジューリングする第１データを伝送し、第２ＴＴＩを使用し、動的スケジューリングする第２データを伝送するように指示する。準静的スケジューリング伝送により占用される第１時間リソースと、動的スケジューリング伝送により占用される第２時間リソースとのそれぞれのターゲット時間ユニットにおける位置に基づいて、第１データと該第２データのうちの少なくとも一つを伝送することを確定し、それによって、異なるＴＴＩにおける動的スケジューリングと準静的スケジューリングを実現する。【選択図】図１
2020174388.tif 000002
【特許請求の範囲】
【請求項１】
データ伝送の方法であって、
端末装置は、時間ユニット内の第１時間リソースで、準静的スケジューリングする第１データを伝送することを含み、
ここで、前記第１時間リソースと前記時間ユニット内の第２時間リソースとは重畳しなく、前記第２時間リソースは、動的スケジューリングする第２データを伝送するように前記端末装置に構成され、前記第１データの伝送時間間隔（ＴＴＩ）の長さが前記時間ユニットの長さ以下であり、前記第２データのＴＴＩの長さが前記時間ユニットの長さ以下である、
ことを特徴とするデータ伝送の方法。
【請求項２】
前記端末装置は、第２時間リソースで、第２データを伝送することを更に含む、
ことを特徴とする請求項１に記載のデータ伝送の方法。
【請求項３】
前記準静的スケジューリングする第１データは、準静的スケジューリングする第１物理アップリンク共有チャネル（ＰＵＳＣＨ）を含み、前記動的スケジューリングする第２データは、動的スケジューリングする第２ＰＵＳＣＨを含み、又は、
前記準静的スケジューリングする第１データは、準静的スケジューリングする第１物理ダウンリンク共有チャネル（ＰＤＳＣＨ）を含み、前記動的スケジューリングする第２データは、動的スケジューリングする第２ＰＤＳＣＨを含む、
ことを特徴とする請求項１に記載のデータ伝送の方法。
【請求項４】
前記時間ユニットはスロットである、
ことを特徴とする請求項１に記載のデータ伝送の方法。
【請求項５】
前記第１時間リソースと前記第２時間リソースとが重畳している場合、前記端末装置は、前記第１時間リソースで、前記第１データを伝送し、かつ前記第２データを伝送しないことを更に含む、
ことを特徴とする請求項１に記載のデータ伝送の方法。
【請求項６】
端末装置であって、
時間ユニット内の第１時間リソースで、準静的スケジューリングする第１データを伝送するように構成される処理モジュールを含み、
ここで、前記第１時間リソースと前記時間ユニット内の第２時間リソースとは重畳しなく、前記第２時間リソースは、動的スケジューリングする第２データを伝送するように前記端末装置に構成され、前記第１データの伝送時間間隔（ＴＴＩ）の長さが前記時間ユニットの長さ以下であり、前記第２データのＴＴＩの長さが前記時間ユニットの長さ以下である、
ことを特徴とする端末装置。
【請求項７】
前記処理モジュールは更に、第２時間リソースで、第２データを伝送するように構成される、
ことを特徴とする請求項６に記載の端末装置。
【請求項８】
前記準静的スケジューリングする第１データは、準静的スケジューリングする第１物理アップリンク共有チャネル（ＰＵＳＣＨ）を含み、前記動的スケジューリングする第２データは、動的スケジューリングする第２ＰＵＳＣＨを含み、又は、
前記準静的スケジューリングする第１データは、準静的スケジューリングする第１物理ダウンリンク共有チャネル（ＰＤＳＣＨ）を含み、前記動的スケジューリングする第２データは、動的スケジューリングする第２ＰＤＳＣＨを含む、
ことを特徴とする請求項６に記載の端末装置。
【請求項９】
前記時間ユニットはスロットである、
ことを特徴とする請求項６に記載の端末装置。
【請求項１０】
前記処理モジュールは更に、前記第１時間リソースと前記第２時間リソースとが重畳している場合、前記第１時間リソースで、前記第１データを伝送し、かつ前記第２データを伝送しないように構成される、
ことを特徴とする請求項６に記載の端末装置。
【発明の詳細な説明】
【技術分野】
【０００１】
本発明は、通信分野に関し、具体的には、データ伝送の方法及び端末に関する。
【背景技術】
【０００２】
エアインターフェース技術、及びその応用の継続的な発展に伴い、将来の通信技術において、伝送遅延の短縮は、通信の重要な指標の一つになっている。例えば、移動端末のリアルタイムの遠隔監視（Ｒｅａｌ−ｔｉｍｅ  Ｒｅｍｏｔｅ  Ｃｏｍｐｕｔｉｎｇ  ｆｏｒ  Ｍｏｂｉｌｅ  Ｔｅｒｍｉｎａｌｓ）におけるエンドツーエンドの伝送遅延を１０ｍｓより小さくするように、トラフィック効率及び安全性サービス（Ｔｒａｆｆｉｃ  Ｅｆｆｉｃｉｅｎｔｙ  ａｎｄ  Ｓａｆｅｔｙ）における伝送遅延を５ｍｓとするように求められ、その他のサービスにおいては、より短い伝送遅延がさらに求められる可能性がある。
【０００３】
伝送遅延を短縮する重要な技術のうちの一つは、伝送時間間隔（ＴＴＩ：Ｔｒａｎｓｍｉｓｓｉｏｎ  Ｔｉｍｅ  Ｉｎｔｅｒｖａｌ）を短縮させることである。現在、ロング・ターム・エボリューション（ＬＴＥ：Ｌｏｎｇ  Ｔｅｒｍ  Ｅｖｏｌｕｔｉｏｎ）システムのＴＴＩの長さは１ｍｓであり、ロング・ターム・エボリューション技術のバージョンアップしたバージョン１３（ＬＴＥ−Ａｄｖａｎｃｅｄ  Ｒｅｌｅａｓｅ  １３、ＬＴＥ−Ａ  Ｒｅｌ−１３）において、より短いＴＴＩを使用してデータ伝送を行うような研究が始まっている。
【０００４】
短いＴＴＩの利点は、伝送遅延を短縮することにあるが、それによって、制御シグナリングのオーバーヘッドが高く、スペクトルの効率が低くなる。同時に複数の種類のサービスの端末にとって、その中で一番短い遅延を要求するサービスに基づいて、統一のＴＴＩを確定した場合、リソースの無駄になる。システムの効率を兼ねて、伝送遅延を保証するために、端末が異なるＴＴＩの長さを使用するように動的にスケジューリングするようにしても良く、即ち、短い遅延に係るサービスを伝送する時に短いＴＴＩを使用し、その他のサービスを伝送する時に通常のＴＴＩを使用する。そのため、ＬＴＥ−Ａ  Ｒｅｌ−１３において、短いＴＴＩでの伝送をサポートする搬送波において、現行のＬＴＥシステムとの互換性を保証するように求められ、即ち、同時に１ｍｓのＴＴＩも対応する必要がある。
【０００５】
現在、ＬＴＥシステムは、二つの異なるデータスケジューリング方式をサポートしており、即ち、準静的スケジューリングと動的スケジューリングである。ここで、準静的スケジューリングとは、基地局が上位レイヤシグナリングによって、スケジューリング周期、物理リソース位置、変調符号化レベルなどを含む端末のスケジューリング情報を指示することである。基地局は、端末に一つのダウンリンク制御シグナリング（ＤＣＩ：Ｄｏｗｎｌｉｎｋ  Ｃｏｎｔｒｏｌ  Ｉｎｆｏｒｍａｔｉｏｎ）を送信することによって、端末の準静的スケジューリングをトリガーしてから、端末は、固定の周期毎に、同じ周波数リソースにおいてデータを伝送する。動的スケジューリングとは、基地局が一回のデータ伝送を確定する場合、端末に一つのＤＣＩを送信し、端末は、ＤＣＩの指示に基づいて、対応する時間周波数リソースにおいてデータを伝送する。動的スケジューリングは、固定の周期がない。
【０００６】
上記ＴＴＩをサポートしていないシステムにおいて、動的スケジューリングと準静的スケジューリングとは、対応するＴＴＩが同じである。動的スケジューリングと準静的スケジューリングとの対応する時間周波数リソースが重畳している場合、動的スケジューリングと準静的スケジューリングとの対応するＴＴＩが同じであるため、動的スケジューリングと準静的スケジューリングとの対応するデータの到着時間、基地局スケジューリング時間、データ処理時間のいずれも同じであり、従って、端末は、元の準静的スケジューリングするデータと動的スケジューリングするデータとを合わせて伝送を行うことができる。例えば、端末はデータを合わせてから、すべてを動的スケジューリングの時間周波数リソースにおいて伝送を行う。即ち、準静的スケジューリングで伝送するサブフレームにおいて、端末が動的スケジューリングを受信した場合、動的スケジューリングデータを受信又は送信する（基地局が、準静的スケジューリングするデータを、動的スケジューリングするデータにパケット化する）。
【０００７】
しかし、ＬＴＥシステムにおける動的スケジューリングと準静的スケジューリングとの対応するＴＴＩが異なる場合、スケジューリングに対応するデータの到着時間、基地局スケジューリング時間、データ処理時間が異なるため、現行の動的スケジューリングが準静的スケジューリングをオーバーライド（ｏｖｅｒｒｉｄｅ）する仕組みに適用することができなくなる。
【発明の概要】
【０００８】
本発明の実施例は、データ伝送の方法及び端末を提供し、異なるＴＴＩにおける動的スケジューリングと準静的スケジューリングを実現することが可能である。
【０００９】
第１態様において、データ伝送の方法を提供し、前記方法は、
端末は、基地局より送信された第１指示シグナリングを受信することと、
前記端末は、前記基地局より送信された第２指示シグナリングを受信することと、
前記端末は、準静的スケジューリング伝送により占用される第１時間リソースの前記ターゲット時間ユニットにおける位置と、動的スケジューリング伝送により占用される第２時間リソースの前記ターゲット時間ユニットにおける位置とを確定することと、
前記端末は、前記第１時間リソースの前記ターゲット時間ユニットにおける位置と、前記第２時間リソースの前記ターゲット時間ユニットにおける位置とに基づいて、前記第１データと前記第２データのうちの少なくとも一つを伝送することを確定することと、
を含み、前記第１指示シグナリングは、前記端末が、ターゲット搬送波のターゲット時間ユニットで、第１時間間隔ＴＴＩを使用し、準静的スケジューリングする第１データを伝送するように指示するために用いられ、前記第２指示シグナリングは、前記端末が、前記ターゲット搬送波の前記ターゲット時間ユニットで、第２ＴＴＩを使用し、動的スケジューリングする第２データを伝送するように指示するために用いられ、ここで、前記第１ＴＴＩの長さが前記第２ＴＴＩの長さと異なり、しかも、前記第１ＴＴＩの長さが時間ユニットの長さ以下であり、前記第２ＴＴＩの長さが時間ユニットの長さ以下である。
【００１０】
ここで、前記準静的スケジューリングする第１データを伝送することは、準静的スケジューリングする第１物理アップリンク共有チャネルＰＵＳＣＨを送信することを含み、前記動的スケジューリングする第２データを伝送することは、動的スケジューリングする第２ＰＵＳＣＨを送信することを含み、又は、前記準静的スケジューリングする第１データを伝送することは、準静的スケジューリングする第１物理ダウンリンク共有チャネルＰＤＳＣＨを受信することを含み、前記動的スケジューリングする第２データを伝送することは、動的スケジューリングする第２ＰＤＳＣＨを受信することを含む。
【００１１】
本発明において、前記ターゲット時間ユニットは、物理ダウンリンク制御チャネルを伝送するために占用される時間リソースと、データ伝送のために占用される時間リソースとを含むことが可能であり、前記第１時間リソースと前記第２時間リソースとの両方とも、データ伝送のために占用される時間リソースである。
【００１２】
本発明において、選択肢として、前記時間ユニットは、フレーム、サブフレーム、タイムスロット又はシンボルである。好ましくは、前記時間ユニットはサブフレームである。
【００１３】
第１態様を結合し、第１態様の第１種類の可能な実現方式において、前記端末は、前記第１時間リソースの前記ターゲット時間ユニットにおける位置と、前記第２時間リソースの前記ターゲット時間ユニットにおける位置とに基づいて、前記第１データと前記第２データのうちの少なくとも一つを伝送することを確定することは、前記第１時間リソースと前記第２時間リソースとが、前記ターゲット時間ユニットで重畳している場合、前記端末は、前記第１時間リソースのみを占用して前記第１データを伝送することを確定することを含む。
【００１４】
第１態様を結合し、第１態様の第２種類の可能な実現方式において、前記端末は、前記第１時間リソースの前記ターゲット時間ユニットにおける位置と、前記第２時間リソースの前記ターゲット時間ユニットにおける位置とに基づいて、前記第１データと前記第２データのうちの少なくとも一つを伝送することを確定することは、前記第１時間リソースと前記第２時間リソースとが、前記ターゲット時間ユニットで重畳し、しかも、前記第１時間リソースの開始時間位置が前記第２時間リソースの開始時間位置と同じであり、又は前記第１時間リソースの開始時間位置が前記第２時間リソースの開始時間位置の後に位置している場合、前記端末は、前記第２時間リソースのみを占用して前記第２データを伝送することを確定することを含む。
【００１５】
第１態様、又は第１態様の第２種類の可能な実現方式を結合し、第１態様の第３種類の可能な実現方式において、前記端末は、前記第１時間リソースの前記ターゲット時間ユニットにおける位置と、前記第２時間リソースの前記ターゲット時間ユニットにおける位置とに基づいて、前記第１データと前記第２データのうちの少なくとも一つを伝送することを確定することは、前記第１時間リソースと前記第２時間リソースとが、前記ターゲット時間ユニットで重畳し、しかも、前記第２時間リソースの開始時間位置が前記第１時間リソースの開始時間位置の後に位置している場合、前記端末は、前記第１時間リソースのみを占用して前記第１データを伝送することを確定することを含む。
【００１６】
第１態様、又は第１態様の第２種類の可能な実現方式、又は第１態様の第３種類の可能な実現方式を結合し、第１態様の第４種類の可能な実現方式において、前記端末は、前記第１時間リソースの前記ターゲット時間ユニットにおける位置と、前記第２時間リソースの前記ターゲット時間ユニットにおける位置とに基づいて、前記第１データと前記第２データのうちの少なくとも一つを伝送することを確定することは、前記第１時間リソースと前記第２時間リソースとが、前記ターゲット時間ユニットで重畳していない場合、前記端末は、前記第１時間リソースを占用して前記第１データを伝送し、しかも前記第２時間リソースを占用して前記第２データを伝送することを確定することを含む。
【００１７】
具体的に、前記第１ＴＴＩの長さが１ｍｓであり、前記第２ＴＴＩの長さが１ｍｓより小さく、又は、前記第１ＴＴＩの長さが１ｍｓより小さく、前記第２ＴＴＩの長さが１ｍｓより小さい。
【００１８】
第２態様において、端末を提供し、受信モジュールと処理モジュールとを含み、第１態様と、それに対応する実現方式を実施するために用いられる。
【００１９】
第３態様において、端末を提供し、プロセッサ、送受信装置、及び記憶装置を含み、第１態様と、それに対応する実現方式を実施するために用いられ、しかも第３態様における端末の各素子は、第２態様における端末の対応するモジュールに対応することができる。
【００２０】
本発明の実施例におけるデータ伝送の方法と端末によって、端末は、異なるＴＴＩでの伝送をサポートし、基地局は、端末がターゲット搬送波のターゲット時間ユニットで、第１ＴＴＩを使用し、準静的スケジューリングする第１データを伝送し、第２ＴＴＩを使用し、動的スケジューリングする第２データを伝送するように指示し、準静的スケジューリング伝送により占用される第１時間リソースと、動的スケジューリング伝送により占用される第２時間リソースとのそれぞれのターゲット時間ユニットにおける位置に基づいて、第１データと該第２データのうちの少なくとも一つを伝送することを確定し、それによって、異なるＴＴＩにおける動的スケジューリングと準静的スケジューリングを実現する。
【図面の簡単な説明】
【００２１】
【図１】本発明の一つの実施例におけるデータ伝送の方法を示すフローチャートである。
【図２】本発明の一つの実施例におけるデータ伝送を示す図である。
【図３】本発明の他の一つの実施例におけるデータ伝送を示す図である。
【図４】本発明のさらに他の一つの実施例におけるデータ伝送を示す図である。
【図５】本発明のさらに他の一つの実施例におけるデータ伝送を示す図である。
【図６】本発明のさらに他の一つの実施例におけるデータ伝送を示す図である。
【図７】本発明のさらに他の一つの実施例におけるデータ伝送を示す図である。
【図８】本発明のさらに他の一つの実施例におけるデータ伝送を示す図である。
【図９】本発明の一つの実施例における端末を示すブロック図である。
【図１０】本発明の他の一つの実施例における端末を示すブロック図である。
【発明を実施するための形態】
【００２２】
より明確に本発明の実施例を説明するために、上記において、実施例または先行技術の説明で必要となる図面を簡単に説明し、明らかに、上記に記載されている図面は、単なる本発明の幾つかの実施例に過ぎず、当業者にとって、創造的な労力を払わない前提で、これらの図面に基づいてその他の図面を得ることができる。
【００２３】
下記において、本発明の実施例の図面を結合し、本発明の実施例の技術案を明確的、全面的に説明し、当然、説明されている実施例は、本発明の一部の実施例に過ぎず、全ての実施例ではない。本発明の実施例に基づいて、当業者は、創造的な労力を払わずに得られた全てのその他の実施例は、本発明の範囲内である。
【００２４】
本明細書に使用される用語「コンポーネント」、「モジュール」、「システム」などはコンピュータに関連するエンティティ、ハードウェア、ファームウェア、ハードウェアとソフトウェアの組み合わせ、ソフトウェア、又は実行中のソフトウェアを表すことに用いられる。例えば、コンポーネントは、プロセッサで実行されているプロセス、プロセッサ、オブジェクト、実行可能ファイル、実行スレッド、プログラム及び／又はコンピュータであってもよいが、これらに限定されない。図面に示すように、コンピューティングデバイスで動作しているアプリケーション及びコンピューティングデバイスは全てコンポーネントであってもよい。一つ又は複数のコンポーネントはプロセス及び／又は実行スレッドに常駐することができ、コンポーネントは一つのコンピュータに置かれてもよく及び／又は２つ以上のコンピュータの間に配置してもよい。その他、これらのコンポーネントは、様々なデータ構造が記憶されている様々なコンピュータ可読媒体から実行されてもよい。コンポーネントは例えば一つ又は複数のデータグループ（例えばローカルシステム、分散型システム及び／又はネットワーク間の他のコンポーネントとインタラクションを行う二つのコンポーネントからのデータ、例えば信号によって他のシステムとインタラクションを行うインターネット）を含む信号に基づいて、ローカル及び／又は遠隔プロセスにより通信することができる。
【００２５】
理解すべきこととして、本発明の実施例における技術案は、様々な通信システム、例えばグローバル移動体通信（ＧＳＭ：Ｇｌｏｂａｌ  Ｓｙｓｔｅｍ  ｏｆ  Ｍｏｂｉｌｅ  Ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）汎用パケット無線サービス（ＧＰＲＳ：Ｇｅｎｅｒａｌ  Ｐａｃｋｅｔ  Ｒａｄｉｏ  Ｓｅｒｖｉｃｅ）システム、長期進化型（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）システム、ユニバーサル移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、グローバルインターコネクトマイクロ波アクセス（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム、及び将来の５Ｇ通信システムなどに適用されることができる。
【００２６】
本発明は端末装置と結合して各実施例を説明する。端末装置は無線アクセスネットワーク（ＲＡＮ：Ｒａｄｉｏ  Ａｃｃｅｓｓ  Ｎｅｔｗｏｒｋ）を介して一つ又は複数のコアネットワークと通信することができ、端末装置はユーザ装置（ＵＥ：Ｕｓｅｒ  Ｅｑｕｉｐｍｅｎｔ）、アクセス端末、ユーザユニット、ユーザサイト、移動サイト、移動局、遠隔サイト、遠隔端末、移動装置、ユーザ端末、端末、無線通信装置、ユーザエージェント又はユーザデバイスであってもよい。アクセス端末装置はセルラー電話、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、無線ローカルループ（ＷＬＬ：Ｗｉｒｅｌｅｓｓ  Ｌｏｃａｌ  Ｌｏｏｐ）サイト、パーソナルデジタル処理（ＰＤＡ：Ｐｅｒｓｏｎａｌ  Ｄｉｇｉｔａｌ  Ａｓｓｉｓｔａｎｔ）、無線通信機能を備えるハンドヘルドデバイス、コンピューティングデバイス又は無線モデムに接続された他の処理デバイス、車載デバイス、ウェアラブルデバイス、将来の５Ｇネットワークにおける端末装置などであってもよい。
【００２７】
本発明は基地局を結合して各実施例を説明する。基地局は端末装置と通信するための装置であってもよく、例えばＧＳＭシステム又はＣＤＭＡにおける基地局（ＢＴＳ：Ｂａｓｅ  Ｔｒａｎｓｃｅｉｖｅｒ  Ｓｔａｔｉｏｎ）、ＷＣＤＭＡシステムにおける基地局（ＮＢ：ＮｏｄｅＢ）、ＬＴＥシステムにおける進化型基地局（ｅＮＢ又はｅＮｏｄｅＢ：Ｅｖｏｌｕｔｉｏｎａｌ  Ｎｏｄｅ  Ｂ）であってもよく、又は該基地局は中継局、アクセスポイント、車載デバイス、ウェアラブルデバイス及び将来の５Ｇネットワークにおけるネットワーク側装置などであってもよい。
【００２８】
以下において、本発明の実施例に係る相関技術と概念を簡単に説明する。
【００２９】
エアインターフェース技術、及びその応用の継続的な発展に伴い、将来の通信技術において、伝送遅延の短縮は、通信の重要な指標の一つになっている。例えば、移動端末のリアルタイムの遠隔監視（Ｒｅａｌ−ｔｉｍｅ  Ｒｅｍｏｔｅ  Ｃｏｍｐｕｔｉｎｇ  ｆｏｒ  Ｍｏｂｉｌｅ  Ｔｅｒｍｉｎａｌｓ）におけるエンドツーエンドの伝送遅延を１０ｍｓより小さくするように、トラフィック効率及び安全性サービス（Ｔｒａｆｆｉｃ  Ｅｆｆｉｃｉｅｎｔｙ  ａｎｄ  Ｓａｆｅｔｙ）における伝送遅延を５ｍｓとするように求められ、その他のサービスにおいては、より短い伝送遅延がさらに求められる可能性がある。表１に、ＬＴＥシステムのバージョン８（Ｒｅｌｅａｓｅ  ８、Ｒｅｌ  ８）とバージョン９（Ｒｅｌｅａｓｅ  ９、Ｒｅｌ  ９）における、ダウンリンク伝送の典型的伝送遅延を示している。
【表１】
2020174388.tif 000003
【００３０】
ここで、到着データ処理と端末におけるデコーディングに起因する遅延は、主にＴＴＩの長さに関係している。そのため、伝送遅延を短縮する重要な技術のうちの一つは、ＴＴＩを短縮することである。現在、ＬＴＥシステムのＴＴＩの長さは１ｍｓであり、ロング・ターム・エボリューション技術のバージョンアップしたバージョン１３（ＬＴＥ−Ａｄｖａｎｃｅｄ  Ｒｅｌｅａｓｅ  １３、ＬＴＥ−Ａ  Ｒｅｌ−１３）において、より短いＴＴＩを使用してデータ伝送を行うような研究が始まっている。
【００３１】
短いＴＴＩの利点は、伝送遅延を短縮することにあるが、それに応じで、制御シグナリングのオーバーヘッドが高く、スペクトルの効率が低い代価を払うことになる。同時に複数の種類のサービスを行う端末にとって、その中で一番短い遅延を要求するサービスに基づいて、統一のＴＴＩを確定した場合、リソースの無駄になる。システムの効率を兼ねて、伝送遅延を保証するために、端末が異なるＴＴＩの長さを使用するように動的にスケジューリングするようにしても良く、即ち、短い遅延に係るサービスを伝送する時に短いＴＴＩを使用し、その他のサービスを伝送する時に通常のＴＴＩを使用する。そのため、ＬＴＥ−Ａ  Ｒｅｌ−１３において、短いＴＴＩでの伝送をサポートする搬送波において、現行のＬＴＥシステムとの互換性を保証するように求められ、即ち、同時に１ｍｓのＴＴＩも対応する必要がある。
【００３２】
現在、ＬＴＥシステムは、二つの異なるデータスケジューリング方式をサポートしており、即ち、準静的スケジューリングと動的スケジューリングである。ここで、準静的スケジューリングとは、基地局が上位レイヤシグナリングによって、スケジューリング周期、物理リソース位置、変調符号化レベルなどを含む端末のスケジューリング情報を指示することである。基地局は、端末に一つのダウンリンク制御シグナリング（ＤＣＩ：Ｄｏｗｎｌｉｎｋ  Ｃｏｎｔｒｏｌ  Ｉｎｆｏｒｍａｔｉｏｎ）を送信することによって、端末の準静的スケジューリングをトリガーしてから、端末は、固定の周期毎に、同じ周波数リソースにおいてデータを伝送する。動的スケジューリングとは、基地局が一回のデータ伝送を確定する場合、端末に一つのＤＣＩを送信し、端末は、ＤＣＩの指示に基づいて、対応する時間周波数リソースにおいてデータを伝送する。動的スケジューリングは、固定の周期がない。
【００３３】
それをサポートしていない方のシステムにおいて、動的スケジューリングと準静的スケジューリングとは、対応するＴＴＩが同じである。動的スケジューリングと準静的スケジューリングとの対応する時間周波数リソースが重畳している場合、動的スケジューリングと準静的スケジューリングとの対応するＴＴＩが同じであるため、動的スケジューリングと準静的スケジューリングとの対応するデータの到着時間、基地局スケジューリング時間、データ処理時間のいずれも同じであり、従って、端末は、元の準静的スケジューリングするデータと動的スケジューリングするデータとを合わせて伝送を行うことができる。例えば、端末はデータを合わせてから、すべてを動的スケジューリングの時間周波数リソースにおいて伝送を行う。即ち、準静的スケジューリングで伝送するサブフレームにおいて、端末が動的スケジューリングを受信した場合、動的スケジューリングデータを受信又は送信する（基地局が、準静的スケジューリングするデータを、動的スケジューリングするデータにパケット化する）。
【００３４】
しかし、ＬＴＥシステムにおける動的スケジューリングと準静的スケジューリングとの対応するＴＴＩが異なる場合、スケジューリングに対応するデータの到着時間、基地局スケジューリング時間、データ処理時間が異なるため、現行の動的スケジューリングが準静的スケジューリングをオーバーライド（ｏｖｅｒｒｉｄｅ）する仕組みに適しなくなる。
【００３５】
上記の課題により、本発明の実施例は、仕組みを提供し、ＬＴＥシステムにおける動的スケジューリングと準静的スケジューリングとに対応するＴＴＩが異なる時のデータ伝送を実現する。
【００３６】
本発明の実施例において、時間ユニットは、フレーム、サブフレーム、タイムスロット又はシンボルであっても良い。
【００３７】
好ましくは、時間ユニットは、サブフレームであっても良い。便利上、本発明は、サブフレームを例として説明し、ターゲット時間ユニットをターゲットサブフレームと称する。
【００３８】
図１に、本発明の実施例におけるデータ伝送の方法１００が示されており、該方法１００は、Ｓ１１０〜Ｓ１４０を含む。
【００３９】
Ｓ１１０において、端末は、基地局より送信された第１指示シグナリングを受信し、該第１指示シグナリングは、該端末がターゲット搬送波のターゲット時間ユニットで、第１時間間隔ＴＴＩを使用し、準静的スケジューリングする第１データを伝送するように指示するために用いられる。
【００４０】
Ｓ１２０において、該端末は該基地局より送信された第２指示シグナリングを受信し、該第２指示シグナリングは、該端末が該ターゲット搬送波の該ターゲット時間ユニットで、第２ＴＴＩを使用し、動的スケジューリングする第２データを伝送するように指示するために用いられ、ここで、該第１ＴＴＩの長さが該第２ＴＴＩの長さと異なり、しかも、該第１ＴＴＩの長さが時間ユニットの長さ以下であり、該第２ＴＴＩの長さが時間ユニットの長さ以下である。
【００４１】
Ｓ１３０において、該端末は、準静的スケジューリング伝送により占用される第１時間リソースの該ターゲット時間ユニットにおける位置と、動的スケジューリング伝送により占用される第２時間リソースの該ターゲット時間ユニットにおける位置とを確定する。
【００４２】
Ｓ１４０において、該端末は、該第１時間リソースの該ターゲット時間ユニットにおける位置と、該第２時間リソースの該ターゲット時間ユニットにおける位置とに基づいて、該第１データと該第２データのうちの少なくとも一つを伝送することを確定する。
【００４３】
ここで、方法１００を実施する端末は、異なる長さのＴＴＩでの伝送をサポートすることができる。準静的スケジューリングにおいて、基地局は、端末に第１指示シグナリングを送信し、該第１指示シグナリングは、端末が準静的スケジューリングを行うように指示することに用いられる。端末が準静的スケジューリングを行う時に、固定の周期毎に、同じ周波数リソースにおいてデータ伝送を行う。そのため、端末が、位置が固定している幾つかの時間周波数リソースにおいて、準静的スケジューリングするデータの伝送を行っている。本発明の実施例において、これらの固定の時間周波数リソース内の一つの時間周波数リソースの周波数ドメインはターゲット搬送波に対応し、時間ドメインはターゲットサブフレームに対応する。端末は、ターゲット搬送波のターゲットサブフレームにおいて、第１ＴＴＩを使用して、ターゲットサブフレーム内の第１時間リソースを占用して、準静的スケジューリングする第１データを伝送する。好ましくは、該第１指示シグナリングはＤＣＩであり、該第１ＤＣＩに、ターゲット搬送波とターゲットサブフレームを指示するための情報が含まれている。端末は、準静的スケジューリング伝送により占用される第１時間リソースのターゲットサブフレームにおける具体的な位置を確定する。
【００４４】
動的スケジューリングにおいて、基地局は、端末に第２指示シグナリングを送信し、該第２指示シグナリングは、該端末が該ターゲット搬送波の該ターゲットサブフレームにおいて、第２ＴＴＩを使用し、動的スケジューリングする第２データを伝送するように指示するために用いられる。それに応じて、端末は、基地局より送信された該第２指示シグナリングを受信する。好ましくは、該指示シグナリングはＤＣＩであり、該ＤＣＩに、ターゲット搬送波とターゲットサブフレームを指示するための情報が含まれている。端末は、動的スケジューリング伝送により占用される第２時間リソースのターゲットサブフレームにおける位置を確定する。
【００４５】
ここで、該第１ＴＴＩの長さが該第２ＴＴＩの長さと異なり、しかも、該第１ＴＴＩの長さは、時間ユニット（サブフレーム）の長さ以下であり、該第２ＴＴＩの長さは、時間ユニット（サブフレーム）の長さ以下である。
【００４６】
端末は、準静的スケジューリングする第１データに占用される第１時間リソースのターゲットサブフレームにおける位置と、動的スケジューリングする第２データに占用される第２時間リソースのターゲットサブフレームにおける位置とに基づいて、第１データと第２データの伝送を制御する。又は、つまり、該第１データと該第２データのうちの少なくとも一つを伝送することを確定する。
【００４７】
具体的に、準静的スケジューリングする第１データを伝送することは、準静的スケジューリング（ＳＰＳ：Ｓｅｍｉ−Ｐｅｒｓｉｓｔｅｎｔ  Ｓｃｈｅｄｕｌｉｎｇ）する第１物理アップリンク共有チャネル（Ｐｈｙｓｉｃａｌ  Ｕｐｌｉｎｋ  Ｓｈａｒｅｄ  Ｃｈａｎｎｅｌ、ＰＵＳＣＨ）を送信することを含み、ここで、準静的スケジューリングする第１ＰＵＳＣＨをＳＰＳ−ＰＵＳＣＨと略称する。動的スケジューリングする第２データを伝送することは、動的スケジューリング（ｄｙｎａｍｉｃ  ｓｃｈｅｄｕｌｉｎｇ）する第２ＰＵＳＣＨを送信することを含み、ここで、動的スケジューリングする第２ＰＵＳＣＨをｄｙｎ−ＰＵＳＣＨと略称する。
【００４８】
又は、他のケースにおいては、準静的スケジューリングする第１データを伝送することは、準静的スケジューリングする第１物理ダウンリンク共有チャネル（Ｐｈｙｓｉｃａｌ  Ｄｏｗｎｌｉｎｋ  Ｓｈａｒｅｄ  Ｃｈａｎｎｅｌ、ＰＤＳＣＨ）を受信することを含み、ここで、準静的スケジューリングする第１ＰＤＳＣＨをＳＰＳ−ＰＤＳＣＨと略称する。動的スケジューリングする第２データを伝送することは、動的スケジューリングする第２ＰＤＳＣＨを受信することを含み、ここで、動的スケジューリングする第２ＰＤＳＣＨをｄｙｎ−ＰＤＳＣＨと略称する。
【００４９】
本発明の実施例におけるデータ伝送の方法において、端末は、異なるＴＴＩでの伝送をサポートし、基地局は、端末がターゲット搬送波のターゲット時間ユニットで、第１ＴＴＩを使用し、準静的スケジューリングする第１データを伝送し、第２ＴＴＩを使用し、動的スケジューリングする第２データを伝送するように指示し、準静的スケジューリング伝送によって占用される第１時間リソースと、動的スケジューリング伝送によって占用される第２時間リソースとのそれぞれのターゲット時間ユニットにおける位置に基づいて、第１データと該第２データのうちの少なくとも一つを伝送することを確定し、それによって、異なるＴＴＩにおける動的スケジューリングと準静的スケジューリングを実現する。
【００５０】
本発明の各実施例において、ターゲットサブフレームは、物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）を伝送するために占用される時間リソースと、データ伝送のために占用される時間リソーストと含むことができる。第１時間リソースと第２時間リソースのいずれもデータ伝送のために占用される時間リソースである。
【００５１】
本発明の一つの実施例において、第１ＴＴＩの長さが１ｍｓであり、第２ＴＴＩの長さが１ｍｓより小さく、Ｓ１４０における端末は、該第１時間リソースの該ターゲット時間ユニットにおける位置と、該第２時間リソースの該ターゲット時間ユニットにおける位置とに基づいて、該第１データと該第２データのうちの少なくとも一つを伝送することを確定することは、該第１時間リソースと該第２時間リソースとが、該ターゲット時間ユニットで重畳している場合、該端末は、該第１時間リソースのみを占用して該第１データを伝送することを含むことができる。本実施例におけるデータ伝送を示す図は図２に示される通りである。
【００５２】
本実施例において、図２に示すように、ターゲット搬送波のターゲットサブフレームにおいて、第１ＴＴＩの長さが１ｍｓであり（即ち、ＳＰＳ−ＰＵＳＣＨ／ＳＰＳ−ＰＤＳＣＨが現行のＴＴＩを使用して伝送を行う）、ＳＰＳ−ＰＵＳＣＨ／ＳＰＳ−ＰＤＳＣＨは、具体的に、第１時間リソースにおいて伝送を行う。基地局は、端末がターゲット搬送波のターゲットサブフレームにおいて、第２ＴＴＩ（第２ＴＴＩの長さが１ｍｓより小さく）を使用し、第２時間リソースを占用してｄｙｎ−ＰＵＳＣＨ／ｄｙｎ−ＰＤＳＣＨを伝送するように動的スケジューリングする。端末は、第１時間リソースと第２時間リソースとの位置に対して判断を行う。第１時間リソースと第２時間リソースとが、ターゲットサブフレームで重畳している場合、端末は、ｄｙｎ−ＰＵＳＣＨ／ｄｙｎ−ＰＤＳＣＨを伝送せず、第１時間リソースのみを占用してＳＰＳ−ＰＵＳＣＨ／ＳＰＳ−ＰＤＳＣＨを伝送する。
【００５３】
本発明のさらに他の一つの実施例において、第１ＴＴＩの長さが１ｍｓであり、第２ＴＴＩの長さが１ｍｓより小さく、Ｓ１４０における端末は、該第１時間リソースの該ターゲット時間ユニットにおける位置と、該第２時間リソースの該ターゲット時間ユニットにおける位置とに基づいて、該第１データと該第２データのうちの少なくとも一つを伝送することを確定することは、該第１時間リソースと該第２時間リソースとが、該ターゲット時間ユニットで重畳し、しかも、該第１時間リソースの開始時間位置が該第２時間リソースの開始時間位置と同じである場合、該端末は、該第２時間リソースのみを占用して該第２データを伝送することを確定することを含むことができる。
【００５４】
なお、第１ＴＴＩの長さが１ｍｓであり、第２ＴＴＩの長さが１ｍｓより小さい場合、第２時間リソースの開始時間位置は、第１時間リソースの開始時間位置と同じ、又は第１時間リソースの開始時間位置の後でしかならない。本実施例において、現在説明しているのは、第１時間リソースの開始時間位置が該第２時間リソースの開始時間位置と同じである場合の状況である。本実施例におけるデータ伝送を示す図は、図３に示されている通りである。
【００５５】
本実施例において、図３に示すように、ターゲット搬送波のターゲットサブフレームにおいて、第１ＴＴＩの長さが１ｍｓであり（即ち、ＳＰＳ−ＰＵＳＣＨ／ＳＰＳ−ＰＤＳＣＨが現行のＴＴＩを使用して伝送を行う）、ＳＰＳ−ＰＵＳＣＨ／ＳＰＳ−ＰＤＳＣＨは、具体的に第１時間リソースにおいて伝送を行う。基地局は、端末がターゲット搬送波のターゲットサブフレームにおいて、第２ＴＴＩ（第２ＴＴＩの長さが１ｍｓより小さく）を使用し、第２時間リソースを占用してｄｙｎ−ＰＵＳＣＨ／ｄｙｎ−ＰＤＳＣＨを伝送するように動的スケジューリングする。端末は、第１時間リソースと第２時間リソースとの位置に対して判断を行う。第２時間リソースの開始時間位置が、データ伝送のために占用される時間リソースの開始時間位置と同じであり、しかも、第１時間リソースと第２時間リソースとがターゲットサブフレームで重畳している場合、端末は、ＳＰＳ−ＰＵＳＣＨ／ＳＰＳ−ＰＤＳＣＨを伝送せず、第２時間リソースのみを占用してｄｙｎ−ＰＵＳＣＨ／ｄｙｎ−ＰＤＳＣＨを伝送する。
【００５６】
本実施例において、第１ＴＴＩの長さが１ｍｓであり、第２ＴＴＩの長さが１ｍｓより小さく、Ｓ１４０における端末は、該第１時間リソースの該ターゲット時間ユニットにおける位置と、該第２時間リソースの該ターゲット時間ユニットにおける位置とに基づいて、該第１データと該第２データのうちの少なくとも一つを伝送することを確定することは、該第１時間リソースと該第２時間リソースとが、該ターゲット時間ユニットで重畳し、しかも、該第２時間リソースの開始時間位置が該第１時間リソースの開始時間位置の後に位置している場合、該端末は、該第１時間リソースのみを占用して該第１データを伝送することを確定することを含むことができる。本実施例におけるデータ伝送を示す図は、図４に示されている通りである。
【００５７】
本実施例において、図４に示すように、ターゲット搬送波のターゲットサブフレームにおいて、第１ＴＴＩの長さが１ｍｓであり（即ち、ＳＰＳ−ＰＵＳＣＨ／ＳＰＳ−ＰＤＳＣＨが現行のＴＴＩを使用して伝送を行う）、ＳＰＳ−ＰＵＳＣＨ／ＳＰＳ−ＰＤＳＣＨは、具体的に第１時間リソースにおいて伝送を行う。基地局は、端末がターゲット搬送波のターゲットサブフレームにおいて、第２ＴＴＩ（第２ＴＴＩの長さが１ｍｓより小さく）を使用して、第２時間リソースを占用してｄｙｎ−ＰＵＳＣＨ／ｄｙｎ−ＰＤＳＣＨを伝送するように動的スケジューリングする。端末は、第１時間リソースと第２時間リソースとの位置に対して判断を行う。第２時間リソースの開始時間位置が、データ伝送のために占用される時間リソースの開始時間位置の後に位置し、しかも、第１時間リソースと第２時間リソースとがターゲットサブフレームで重畳している場合、端末は、ｄｙｎ−ＰＵＳＣＨ／ｄｙｎ−ＰＤＳＣＨを伝送せず、第１時間リソースのみを占用してＳＰＳ−ＰＵＳＣＨ／ＳＰＳ−ＰＤＳＣＨを伝送する。
【００５８】
なお、図３と図４のそれぞれに対応する技術案を組み合わせて一つの技術案にしても良い。
【００５９】
本発明のさらに他の一つの実施例において、第１ＴＴＩの長さが１ｍｓより小さく、第２ＴＴＩの長さが１ｍｓより小さく、Ｓ１４０端末は、該第１時間リソースの該ターゲット時間ユニットにおける位置と、該第２時間リソースの該ターゲット時間ユニットにおける位置とに基づいて、該第１データと該第２データのうちの少なくとも一つを伝送することを確定することは、該第１時間リソースと該第２時間リソースとが、該ターゲット時間ユニットで重畳していない場合、該端末は、該第１時間リソースを占用して該第１データを伝送し、しかも、該第２時間リソースを占用して該第２データを伝送することを確定することを含むことができる。本実施例におけるデータ伝送を示す図は、図５に示されている通りである。
【００６０】
本実施例において、図５に示すように、ターゲット搬送波のターゲットサブフレームにおいて、第１ＴＴＩの長さが１ｍｓより小さく、ＳＰＳ−ＰＵＳＣＨ／ＳＰＳ−ＰＤＳＣＨは、具体的に第１時間リソースにおいて伝送を行う。基地局は、端末がターゲット搬送波のターゲットサブフレームにおいて、第２ＴＴＩ（第２ＴＴＩの長さが１ｍｓより小さく）を使用し、第２時間リソースを占用してｄｙｎ−ＰＵＳＣＨ／ｄｙｎ−ＰＤＳＣＨを伝送するように動的スケジューリングする。端末は、第１時間リソースと第２時間リソースとの位置に対して判断を行う。第１時間リソースと第２時間リソースとが、ターゲットサブフレームで重畳していない場合、端末は、第１時間リソースを占用してＳＰＳ−ＰＵＳＣＨ／ＳＰＳ−ＰＤＳＣＨを伝送し、しかも、端末は、第２時間リソースを占用してｄｙｎ−ＰＵＳＣＨ／ｄｙｎ−ＰＤＳＣＨを伝送する。
【００６１】
本発明のさらに他の一つの実施例において、第１ＴＴＩの長さが１ｍｓより小さく、第２ＴＴＩの長さが１ｍｓより小さく、Ｓ１４０端末は、該第１時間リソースの該ターゲット時間ユニットにおける位置と、該第２時間リソースの該ターゲット時間ユニットにおける位置とに基づいて、該第１データと該第２データのうちの少なくとも一つを伝送することを確定することは、該第１時間リソースと該第２時間リソースとが、該ターゲット時間ユニットで重畳している場合、該端末は、該第１時間リソースのみを占用して該第１データを伝送することを確定することを含むことができる。本実施例におけるデータ伝送を示す図は、図６に示されている通りである。
【００６２】
本実施例において、図６に示すように、ターゲット搬送波のターゲットサブフレームにおいて、第１ＴＴＩの長さが１ｍｓより小さく、ＳＰＳ−ＰＵＳＣＨ／ＳＰＳ−ＰＤＳＣＨは、具体的に第１時間リソースにおいて伝送を行う。基地局は、端末が、ターゲット搬送波のターゲットサブフレームにおいて、第２ＴＴＩ（第２ＴＴＩの長さが１ｍｓより小さく）を使用し、第２時間リソースを占用してｄｙｎ−ＰＵＳＣＨ／ｄｙｎ−ＰＤＳＣＨを伝送するように動的スケジューリングする。端末は、第１時間リソースと第２時間リソースとの位置に対して判断を行う。第１時間リソースと第２時間リソースとが、ターゲットサブフレームで重畳している場合、端末は、ｄｙｎ−ＰＵＳＣＨ／ｄｙｎ−ＰＤＳＣＨを伝送せず、第１時間リソースのみを占用してＳＰＳ−ＰＵＳＣＨ／ＳＰＳ−ＰＤＳＣＨを伝送する。
【００６３】
なお、図５と図６のそれぞれに対応する技術案を組み合わせて一つの技術案にしても良い。
【００６４】
本発明のさらに他の一つの実施例において、第１ＴＴＩの長さが１ｍｓより小さく、第２ＴＴＩの長さが１ｍｓより小さく、Ｓ１４０端末は、該第１時間リソースの該ターゲット時間ユニットにおける位置と、該第２時間リソースの該ターゲット時間ユニットにおける位置とに基づいて、該第１データと該第２データのうちの少なくとも一つを伝送することを確定することは、該第１時間リソースと該第２時間リソースとが、該ターゲット時間ユニットで重畳し、しかも、該第１時間リソースの開始時間位置が該第２時間リソースの開始時間位置の後に位置している場合、該端末は、該第２時間リソースのみを占用して該第２データを伝送することを確定することを含むことができる。本実施例におけるデータ伝送を示す図は、図７に示されている通りである。
【００６５】
本実施例において、図７に示すように、ターゲット搬送波のターゲットサブフレームにおいて、第１ＴＴＩの長さが１ｍｓより小さく、ＳＰＳ−ＰＵＳＣＨ／ＳＰＳ−ＰＤＳＣＨは、具体的に第１時間リソースにおいて伝送を行う。基地局は、端末が、ターゲット搬送波のターゲットサブフレームにおいて、第２ＴＴＩ（第２ＴＴＩの長さが１ｍｓより小さく）を使用し、第２時間リソースを占用してｄｙｎ−ＰＵＳＣＨ／ｄｙｎ−ＰＤＳＣＨを伝送するように動的スケジューリングする。端末は、第１時間リソースと第２時間リソースとの位置に対して判断を行う。第１時間リソース第２時間リソースとが、ターゲットサブフレームで重畳し、しかも、該第１時間リソースの開始時間位置が、該第２時間リソースの時間リソースの開始時間位置の後に位置している場合、端末は、ＳＰＳ−ＰＵＳＣＨ／ＳＰＳ−ＰＤＳＣＨを伝送せず、第２時間リソースのみを占用してｄｙｎ−ＰＵＳＣＨ／ｄｙｎ−ＰＤＳＣＨを伝送する。
【００６６】
本発明のさらに他の一つの実施例において、第１ＴＴＩの長さが１ｍｓより小さく、第２ＴＴＩの長さが１ｍｓより小さく、Ｓ１４０端末は、該第１時間リソースの該ターゲット時間ユニットにおける位置と、該第２時間リソースの該ターゲット時間ユニットにおける位置とに基づいて、該第１データと該第２データのうちの少なくとも一つを伝送することを確定することは、該第１時間リソースと該第２時間リソースとが、該ターゲット時間ユニットで重畳し、しかも、該第２時間リソースの開始時間位置が該第１時間リソースの開始時間位置の後に位置している場合、該端末は、該第１時間リソースのみを占用して該第１データを伝送することを確定することを含むことができる。本実施例におけるデータ伝送を示す図は、図８に示されている通りである。
【００６７】
本実施例において、図８に示すように、ターゲット搬送波のターゲットサブフレームにおいて、第１ＴＴＩの長さが１ｍｓより小さく、ＳＰＳ−ＰＵＳＣＨ／ＳＰＳ−ＰＤＳＣＨは、具体的に第１時間リソースにおいて伝送を行う。基地局は、端末が、ターゲット搬送波のターゲットサブフレームにおいて、第２ＴＴＩ（第２ＴＴＩの長さが１ｍｓより小さく）を使用し、第２時間リソースを占用してｄｙｎ−ＰＵＳＣＨ／ｄｙｎ−ＰＤＳＣＨを伝送するように動的スケジューリングする。端末は、第１時間リソースと第２時間リソースとの位置に対して判断を行う。該第１時間リソースと該第２時間リソースとが、該ターゲットサブフレームで重畳し、しかも、該第２時間リソースの開始時間位置が該第１時間リソースの時間リソースの開始時間位置の後に位置している場合、端末は、ｄｙｎ−ＰＵＳＣＨ／ｄｙｎ−ＰＤＳＣＨを伝送せず、第１時間リソースのみを占用してＳＰＳ−ＰＵＳＣＨ／ＳＰＳ−ＰＤＳＣＨを伝送する。
【００６８】
なお、図７と図８のそれぞれに対応する技術案を組み合わせて一つの技術案にしても良い。
【００６９】
また、図５、図７及び図８のそれぞれに対応する技術案を組み合わせて一つの技術案にしても良い。。
【００７０】
図９は、本発明の一つの実施例における端末２００を示すブロック図である。該端末２００は、受信モジュール２１０、処理モジュール２２０を含む。
【００７１】
受信モジュール２１０は、基地局より送信された第１指示シグナリングを受信するように構成され、該第１指示シグナリングは、該端末がターゲット搬送波のターゲット時間ユニットで、第１時間間隔ＴＴＩを使用し、準静的スケジューリングする第１データを伝送するように指示するために用いられる。
【００７２】
該受信モジュール２１０は、該基地局より送信された第２指示シグナリングを受信するようにさらに構成され、該第２指示シグナリングは、該端末が該ターゲット搬送波の該ターゲット時間ユニットで、第２ＴＴＩを使用し、動的スケジューリングする第２データを伝送するように指示するために用いられ、ここで、該第１ＴＴＩの長さが該第２ＴＴＩの長さと異なり、しかも、該第１ＴＴＩの長さが時間ユニットの長さ以下であり、該第２ＴＴＩの長さが時間ユニットの長さ以下である。
【００７３】
処理モジュール２２０は、準静的スケジューリング伝送により占用される第１時間リソースの該ターゲット時間ユニットの位置と、動的スケジューリング伝送により占用される第２時間リソースの該ターゲット時間ユニットの位置とを確定するように構成される。
【００７４】
処理モジュール２２０は、該第１時間リソースの該ターゲット時間ユニットにおける位置と、該第２時間リソースの該ターゲット時間ユニットにおける位置とに基づいて、該第１データと該第２データのうちの少なくとも一つを伝送することを確定するようにさらに構成される。
【００７５】
本発明の実施例における端末は、異なるＴＴＩでの伝送をサポートし、基地局は、端末がターゲット搬送波のターゲット時間ユニットで、第１ＴＴＩを使用し、準静的スケジューリングする第１データを伝送し、第２ＴＴＩを使用し、動的スケジューリングする第２データを伝送するように指示し、準静的スケジューリング伝送によって占用される第１時間リソースと、動的スケジューリング伝送によって占用される第２時間リソースとのそれぞれのターゲット時間ユニットにおける位置に基づいて、第１データと該第２データのうちの少なくとも一つを伝送することを確定し、それによって、異なるＴＴＩにおける動的スケジューリングと準静的スケジューリングを実現する。
【００７６】
選択肢として、一つの実施例として、該準静的スケジューリングする第１データを伝送することは、準静的スケジューリングする第１物理アップリンク共有チャネルＰＵＳＣＨを送信することを含み、該動的スケジューリングする第２データを伝送することは、動的スケジューリングする第２ＰＵＳＣＨを送信することを含み、又は該準静的スケジューリングする第１データを伝送することは、準静的スケジューリングする第１物理ダウンリンク共有チャネルＰＤＳＣＨを受信することを含み、該動的スケジューリングする第２データを伝送することは、動的スケジューリングする第２ＰＤＳＣＨを受信することを含む。
【００７７】
本発明の実施例において、時間ユニットは、サブフレームであっても良い。
【００７８】
選択肢として、一つの実施例として、処理モジュール２２０は、具体的に、該第１時間リソースと該第２時間リソースとが、該ターゲット時間ユニットで重畳している場合、該端末は、該第１時間リソースのみを占用して該第１データを伝送することを確定するように構成される。
【００７９】
選択肢として、一つの実施例として、処理モジュール２２０は、具体的に、該第１時間リソースと該第２時間リソースとが、該ターゲット時間ユニットで重畳し、しかも、該第１時間リソースの開始時間位置が該第２時間リソースの開始時間位置と同じであり、又は該第１時間リソースの開始時間位置が該第２時間リソースの開始時間位置の後に位置している場合、該端末は、該第２時間リソースのみを占用して該第２データを伝送することを確定するように構成される。
【００８０】
選択肢として、一つの実施例として、処理モジュール２２０は、具体的に、該第１時間リソースと該第２時間リソースとが、該ターゲット時間ユニットで重畳し、しかも、該第２時間リソースの開始時間位置が該第１時間リソースの開始時間位置の後に位置している場合、該端末は、該第１時間リソースのみを占用して該第１データを伝送することを確定するように構成される。
【００８１】
選択肢として、一つの実施例として、処理モジュール２２０は、具体的に、該第１時間リソースと該第２時間リソースとが、該ターゲット時間ユニットで重畳していない場合、該端末は、該第１時間リソースを占用して該第１データを伝送し、しかも、該第２時間リソースを占用して該第２データを伝送することを確定するように構成される。
【００８２】
なお、本発明の実施例において、受信モジュール２１０は、送受信装置により実現されても良く、処理モジュール２２０は、プロセッサにより実現されても良い。図１０に示すように、端末３００は、プロセッサ３１０、送受信装置３２０、及び記憶装置３３０を含むことができる。ここで、記憶装置３３０は、プロセッサ３１０で実行するコード等を記憶するように用いられる。
【００８３】
端末３００内の各コンポーネントはバスシステム３４０によってカップリングされており、ここでバスシステム３４０は、データバス以外に、電源バス、制御バス及び状態信号バスを含む。
【００８４】
図９に示されている端末２００又は図１０に示されている端末３００は、前記図１〜図８に示す実施例で実現される各フローを実現することができ、重複を避けるため、ここでそれ以上説明しない。
【００８５】
注意すべきこととして、本発明の上記方法の実施例はプロセッサに適用されてもよく、又はプロセッサによって実現されてもよい。プロセッサは集積回路チップである可能性があり、信号処理能力を備えている。実現過程において、上記方法の実施例における各ステップは、プロセッサにおけるハードウェアの集積論理回路、又はソフトウェア形態の命令により完成されてもよい。上記のプロセッサは汎用プロセッサ、デジタル信号プロセッサ（ＤＳＰ：Ｄｉｇｉｔａｌ  Ｓｉｇｎａｌ  Ｐｒｏｃｅｓｓｏｒ）、専用集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、現場でプログラマブルゲートアレイ（ＦＰＧＡ：Ｆｉｅｌｄ  Ｐｒｏｇｒａｍｍａｂｌｅ  Ｇａｔｅ  Ａｒｒａｙ）、又は他のプログラマブルロジックデバイス、ディスクリートゲート又はトランジスタ論理デバイス、ディスクリートハードウェアコンポーネントであってもよい。本発明の実施例における開示された各方法、ステップ及び論理ブロック図を実現、又は実行することができる。汎用プロセッサはマイクロプロセッサであってもよく、又は該プロセッサはいずれかの通常のプロセッサなどであってもよい。本発明の実施例に開示された方法を結合するステップは、ハードウェア復号プロセッサによって実行して完成され、又は復号プロセッサにおけるハードウェアモジュール及びソフトウェアモジュールの組み合わせによって実行して完成されるように具現することができる。ソフトウェアモジュールは、ランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒質はメモリに位置し、プロセッサはメモリにおける情報を読み取り、そのハードウェアと組み合わせて上記方法のステップを完成する。
【００８６】
本発明の実施例におけるメモリは揮発性記憶装置又は不揮発性記憶装置であってもよく、又は揮発性記憶装置及び不揮発性記憶装置の両者を含むことができることが理解できる。ここで、不揮発性記憶装置は読み取り専用メモリ（ＲＯＭ：Ｒｅａｄ−Ｏｎｌｙ  Ｍｅｍｏｒｙ）、プログラマブル読み取り専用メモリ（ＰＲＯＭ：Ｐｒｏｇｒａｍｍａｂｌｅ  ＲＯＭ）、消去可能プログラマブル読み取り専用メモリ（ＥＰＲＯＭ：Ｅｒａｓａｂｌｅ  ＰＲＯＭ）、電気的消去可能プログラマブル読み取り専用メモリ（ＥＥＰＲＯＭ：Ｅｌｅｃｔｒｉｃａｌｌｙ  ＥＰＲＯＭ）又はフラッシュメモリであってもよい。揮発性記憶装置は外部キャッシュメモリとして機能するランダムアクセスメモリ（ＲＡＭ：Ｒａｎｄｏｍ  Ａｃｃｅｓｓ  Ｍｅｍｏｒｙ）であってもよい。制限的でなく例示的な説明により、多くの形態のＲＡＭは利用可能であり、例えばスタティックランダムアクセスメモリ（ＳＲＡＭ：Ｓｔａｔｉｃ  ＲＡＭ）、動的ランダムアクセスメモリ（ＤＲＡＭ：Ｄｙｎａｍｉｃ  ＲＡＭ）、同期動的ランダムアクセスメモリ（ＳＤＲＡＭ：Ｓｙｎｃｈｒｏｎｏｕｓ  ＤＲＡＭ）、ダブルデータレート同期動的ランダムアクセスメモリ（ＤＤＲＳＤＲＡＭ：Ｄｏｕｂｌｅ  Ｄａｔａ  Ｒａｔｅ  ＳＤＲＡＭ）、強化型同期動的ランダムアクセスメモリ（ＥＳＤＲＡＭ：Ｅｎｈａｎｃｅｄ  ＳＤＲＡＭ）、同期リンク動的ランダムアクセスメモリ（ＳＬＤＲＡＭ：Ｓｙｎｃｈｌｉｎｋ  ＤＲＡＭ）とダイレクトラムバスランダムアクセスメモリ（ＤＲ  ＲＡＭ）である。注意すべきこととして、本明細書に記載のシステムと方法のメモリは、これら、及びいずれかの他の適切なタイプのメモリを含むことを主旨としているが、これらに限定されない。
【００８７】
本願に開示されている実施例に説明されている各例示的なユニット及びアルゴリズムのステップを結合し、電子ハードウェア、又はコンピュータソフトウェアと電子ハードウェアの結合を用いて実現することができることを当業者であれば理解できる。これらの機能がハードウェアの形式かあるいはソフトウェアの形式で実施するかについては、技術案の特定応用と設計制約によるものである。当業者は、各特定応用に応じて異なる方法を用いて、説明されている機能を実現することができるが、このような実現は本発明の範囲を超えていると見なすべきではない。
【００８８】
当業者は、説明の便利と簡潔上、上記に記載されているシステム、装置及びユニットの具体的な動作については、上記方法の実施例において対応するフローを参照することができ、ここでそれ以上説明を行わない。
【００８９】
本願に提供されている幾つかの実施例において、開示されているシステム、装置及び方法は、その他の方式で実現されても良い。例えば、上記に記載されている装置の実施例は単なる例示的なものに過ぎず、例えば、前記ユニットの分け方が、単なるロジック的な機能分けであり、実際、実現する時に他の分け方があっても良く、例えば、複数のユニット又はコンポーネントを他のシステムへ統合、又は集成しても良く、又は幾つかの技術的特徴を省略、又は実施しなくても良い。また、明示され、又は議論されている各構成部分の相互的なカップリング、又は直接のカップリング、又は通信接続は、幾つかのインターフェース、装置、又はユニットの間接のカップリング又は通信によって接続されても良く、電気的、機械的、又はその他の形式であっても良い。
【００９０】
上記で分離コンポーネントとして説明したユニットは、物理的に分離されるものであっても良く、そうでないものであっても良い。ユニットとして示されるコンポーネントは物理ユニットであっても良く、そうでないものであっても良い。一箇所に配置されても良く、複数のネットワークユニットに配置しても良い。実際のニーズに応じて、その中の一部又は全部のユニットを選択して本実施例の技術案の目的を実現しても良い。
【００９１】
また、本発明の各実施例における各機能ユニットは、一つの処理ユニットに統合しても良く、各ユニットはそれぞれ単独なユニットとしても良く、二つ又は二つ以上のユニットを一つのユニットに統合しても良い。
【００９２】
前記機能は、ソフトウェア機能ユニットの方式で実現し、しかも独立な製品として販売又は使用する場合、コンピュータ読み取り可能の記憶媒体に記憶しても良い。これによって、本発明の技術案が事実上、言い換えれば先行技術に貢献した部分がソフトウェア製品の形で具現でき、該コンピュータソフトウェア製品は記憶媒体に記憶され、コンピュータ装置（パソコン、サーバ、またはネットワーク装置などであっても良い）に本発明の各実施例の全部または一部の前記方法を実行させための複数の命令を含む。上記の記憶媒体は、ＵＳＢメモリ、移動記憶媒体、読み取り専用メモリ（ＲＯＭ：Ｒｅａｄ−Ｏｎｌｙ  Ｍｅｍｏｒｙ）、ランダムアクセス記憶装置（ＲＡＭ：Ｒａｎｄｏｍ  Ａｃｃｅｓｓ  Ｍｅｍｏｒｙ）、磁気ディスク又はコンパクトディスクなどの各種のプログラムコードが記憶できる媒体を含む。
【００９３】
上記に記載されているのは、単なる本発明の具体的な実施形態に過ぎず、本発明はそれに限らず、当業者が本発明に開示されている範囲内において、容易に想到し得る変形又は入れ替えは、全て本発明の範囲内に含まれるべきである。そのため、本発明の範囲は、記載されている特許請求の範囲に準じるべきである。
【図１】
2020174388.tif 000004
【図２】
2020174388.tif 000005
【図３】
2020174388.tif 000006
【図４】
2020174388.tif 000007
【図５】
2020174388.tif 000008
【図６】
2020174388.tif 000009
【図７】
2020174388.tif 000010
【図８】
2020174388.tif 000011
【図９】
2020174388.tif 000012
【図１０】
2020174388.tif 000013